(57)【要約】【課題】手間をかけることなく短時間で映像素材の転送確認を行う。【解決手段】転送元システム１００の上位制御端末１２０及び転送先システム２００の上位制御端末２２０は、ビデオサーバ１１０及びビデオサーバ２１０にそれぞれ収録された映像素材をデコードして取り込み、キャプチャ機能を利用して一定のフレーム間隔で静止画（サムネイル）をそれぞれ作成する。そして、上位制御端末２２０は、素材転送終了後に、上位制御端末１２０から送られてくるサムネイルを受信し、受信されたサムネイルと、サムネイルメモリ２７に記憶されたサムネイルとをフレーム毎に比較して差異を検出することで転送された素材の確認を行う。【選択図】      図１
2008187246.tif 000002
【特許請求の範囲】
【請求項１】
映像素材を圧縮して記録装置に収録し、当該記録装置から任意の映像素材を読み出し伸長して送出する、互いに伝送路を介して接続される第１及び第２のビデオサーバと、前記第１及び第２のビデオサーバの収録及び送出をそれぞれ制御する第１及び第２の制御装置とを具備し、前記第１のビデオサーバは前記第１の制御装置の指示により収録された映像素材を前記第２のビデオサーバに転送し、前記第２のビデオサーバは前記第２の制御装置の指示により前記転送された映像素材を収録する映像素材転送システムであって、
前記第１の制御装置は、
前記第１のビデオサーバに収録された映像素材をもとに一定のフレーム間隔で第１の静止画を作成する第１の作成手段と、
前記第１の作成手段により作成された第１の静止画を前記第２の制御装置に送信する送信手段と
を備え、
前記第２の制御装置は、
前記第２のビデオサーバに収録された映像素材をもとに前記第１の作成手段で作成された第１の静止画と同じフレームの第２の静止画を作成する第２の作成手段と、
前記第１の制御装置から送られてくる前記第１の静止画を受信する受信手段と、
前記受信された第１の静止画と、前記第２の作成手段により作成された第２の静止画とを比較して差異があるか否かを判定する判定手段と、
前記判定手段により前記第１の静止画と前記第２との間に差異があると判定された場合に、前記映像素材の転送に異常があることを示す情報を前記第１のビデオサーバ及び第２のビデオサーバに通知する通知手段と
を具備することを特徴とする素材転送システム。
【請求項２】
前記第１の作成手段は、前記第１のビデオサーバに収録された映像素材の前記一定のフレーム間隔の画像を所定の画像サイズに縮小して前記第１の静止画を作成し、
前記第２の作成手段は、前記第２のビデオサーバに収録された映像素材の前記第１の静止画と同じフレームの画像を前記所定の画像サイズに縮小して前記第２の静止画を作成することを特徴とする請求項１記載の素材転送システム。
【請求項３】
映像素材を圧縮して記録装置に収録し、当該記録装置から任意の映像素材を読み出し伸長して送出する、互いに伝送路を介して接続される第１及び第２のビデオサーバと、前記第１及び第２のビデオサーバの収録及び送出をそれぞれ制御する第１及び第２の制御装置とを具備し、前記第１のビデオサーバは前記第１の制御装置の指示により収録された映像素材を前記第２のビデオサーバに転送し、前記第２のビデオサーバは前記第２の制御装置の指示により前記転送された映像素材を収録する映像素材転送システムに用いられ、
前記第１の制御装置は、
前記第１のビデオサーバに収録された映像素材をもとに一定のフレーム間隔で第１の静止画を作成し、
前記作成された第１の静止画を前記第２の制御装置に送信し、
前記第２の制御装置は、
前記第２のビデオサーバに収録された映像素材をもとに前記作成された第１の静止画と同じフレームの第２の静止画を作成し、
前記第１の制御装置から送られてくる前記第１の静止画を受信し、
前記受信された第１の静止画と、前記作成された第２の静止画とを比較して差異があるか否かを判定し、
前記判定において前記第１の静止画と前記第２との間に差異があると判定された場合に、前記映像素材の転送に異常があることを示す情報を前記第１のビデオサーバ及び第２のビデオサーバに通知することを特徴とする映像素材転送方法。
【請求項４】
前記第１のビデオサーバに収録された映像素材の前記一定のフレーム間隔の画像を所定の画像サイズに縮小して前記第１の静止画を作成し、
前記第２のビデオサーバに収録された映像素材の前記第１の静止画と同じフレームの画像を前記所定の画像サイズに縮小して前記第２の静止画を作成することを特徴とする請求項３記載の映像素材転送方法。
【発明の詳細な説明】
【技術分野】
【０００１】
この発明は、一方のビデオサーバに収録されている映像素材を他方のビデオサーバに転送する映像素材転送システム及び映像素材転送方法に関する。
【背景技術】
【０００２】
複数のビデオサーバを備える素材転送システムにおいて、一方のビデオサーバに収録された素材をネットワークを介して他方のビデオサーバに転送する場合、転送された素材が欠落なく収録されているか確認を行う。通常、この確認は素材転送後に双方のビデオサーバで当該素材をデコードして再生し、目視または専用の比較装置により映像を確認する。特に、番組のように長時間の素材の場合は、確認作業のために作業員が拘束されたり、専用の本格的な装置が必要となったりする。
【０００３】
なお、送出スタンバイ時に放送素材の先頭映像を静止画像として表示することで事前に送出映像の確認を行う手法が提案されている（例えば、特許文献１を参照。）。
【特許文献１】特開２００４−２７４５６８公報
【発明の開示】
【発明が解決しようとする課題】
【０００４】
上述したように、従来では、素材転送後の確認作業が目視または専用の比較装置により行われていたため手間がかかり、素材が長時間の場合は作業員が拘束されたり、専用の本格的な装置が必要であった。
【０００５】
この発明は上記事情に着目してなされたもので、その目的とするところは、手間をかけることなく短時間で映像素材の転送確認を行うことができる映像素材転送システム及び映像素材転送方法を提供することにある。
【課題を解決するための手段】
【０００６】
上記目的を達成するためにこの発明に係る映像素材転送システムは、映像素材を圧縮して記録装置に収録し、当該記録装置から任意の映像素材を読み出し伸長して送出する、互いに伝送路を介して接続される第１及び第２のビデオサーバと、前記第１及び第２のビデオサーバの収録及び送出をそれぞれ制御する第１及び第２の制御装置とを具備し、前記第１のビデオサーバは前記第１の制御装置の指示により収録された映像素材を前記第２のビデオサーバに転送し、前記第２のビデオサーバは前記第２の制御装置の指示により前記転送された映像素材を収録する映像素材転送システムであって、前記第１の制御装置は、前記第１のビデオサーバに収録された映像素材をもとに一定のフレーム間隔で第１の静止画を作成する第１の作成手段と、前記第１の作成手段により作成された第１の静止画を前記第２の制御装置に送信する送信手段とを備え、前記第２の制御装置は、前記第２のビデオサーバに収録された映像素材をもとに前記第１の作成手段で作成された第１の静止画と同じフレームの第２の静止画を作成する第２の作成手段と、前記第１の制御装置から送られてくる前記第１の静止画を受信する受信手段と、前記受信された第１の静止画と、前記第２の作成手段により作成された第２の静止画とを比較して差異があるか否かを判定する判定手段と、前記判定手段により前記第１の静止画と前記第２との間に差異があると判定された場合に、前記映像素材の転送に異常があることを示す情報を前記第１のビデオサーバ及び第２のビデオサーバに通知する通知手段とを具備することを特徴とする。
【０００７】
また、この発明に係る映像素材転送方法は、映像素材を圧縮して記録装置に収録し、当該記録装置から任意の映像素材を読み出し伸長して送出する、互いに伝送路を介して接続される第１及び第２のビデオサーバと、前記第１及び第２のビデオサーバの収録及び送出をそれぞれ制御する第１及び第２の制御装置とを具備し、前記第１のビデオサーバは前記第１の制御装置の指示により収録された映像素材を前記第２のビデオサーバに転送し、前記第２のビデオサーバは前記第２の制御装置の指示により前記転送された映像素材を収録する映像素材転送システムに用いられ、前記第１の制御装置は、前記第１のビデオサーバに収録された映像素材をもとに一定のフレーム間隔で第１の静止画を作成し、前記作成された第１の静止画を前記第２の制御装置に送信し、前記第２の制御装置は、前記第２のビデオサーバに収録された映像素材をもとに前記作成された第１の静止画と同じフレームの第２の静止画を作成し、前記第１の制御装置から送られてくる前記第１の静止画を受信し、前記受信された第１の静止画と、前記作成された第２の静止画とを比較して差異があるか否かを判定し、前記判定において前記第１の静止画と前記第２との間に差異があると判定された場合に、前記映像素材の転送に異常があることを示す情報を前記第１のビデオサーバ及び第２のビデオサーバに通知することを特徴とする。
【０００８】
上記構成による映像素材転送システム及び映像素材転送方法では、第１及び第２の制御装置は、映像素材の転送元の第１のビデオサーバ及び転送先の第２のビデオサーバそれぞれに収録された映像素材をもとに一定のフレーム間隔で静止画を作成する。そして、第２の制御装置は、第１及び第２の制御装置でそれぞれ作成された静止画を比較することで転送された映像素材の確認を自動化して行う。このようにすることで、転送後に素材を再生して目視で確認する場合に比べて短時間に転送された素材を確認することが可能となる。
【発明の効果】
【０００９】
したがってこの発明によれば、手間をかけることなく短時間で映像素材の転送確認を行うことができる映像素材転送システム及び映像素材転送方法を提供することができる。
【発明を実施するための最良の形態】
【００１０】
以下、図面を参照しながら本発明の実施の形態を詳細に説明する。  
図１は、この発明に係る素材転送システムの一実施形態を示す機能ブロック図である。この素材転送システムは、転送元システム１００と転送先システム２００とを備え、転送元システム１００のビデオサーバ１１０（例：素材サーバ）から転送先システム２００のビデオサーバ２１０（例：送出サーバ）へ素材ファイルをファイル転送するものである。なお、転送先システム２００の構成は、転送元システム１００と同様であるため同一部分の説明を省略する。
【００１１】
転送元システム１００は、ビデオサーバ１１０と上位制御端末１２０とを備える。ビデオサーバ１１０は、マイクロプロセッサ等の中央処理ユニット（ＣＰＵ：Central Processing Unit）１０を備え、このＣＰＵ１０にバスを介してエンコーダ（ＥＮＣ）１１と、入力インタフェース（入力Ｉ／Ｆ）１２と、素材メモリ１３と、デコーダ（ＤＥＣ）１４と、出力インタフェース（出力Ｉ／Ｆ）１５とを備える。
【００１２】
ビデオサーバ１１０において、上位制御端末１２０から素材収録指示を受けると、ＣＰＵ１０は入力されたベースバンド素材を取り込んでエンコーダ１１に供給する。エンコーダ１１は、供給されたベースバンド素材に対して圧縮処理を行い、素材ファイルとして素材メモリ１３に収録する。圧縮方式には、例えば、ＭＰＥＧ−２（Moving Picture Experts Group-phase2）が用いられる。また、入力Ｉ／Ｆ１２にはすでに圧縮処理された素材ファイルがファイル転送により入力され、ＣＰＵ１０は、入力された素材ファイルを素材メモリ１３に収録する。また、ＣＰＵ１０は、上位制御端末１２０から素材再生指示を受けると、再生対象の素材を素材メモリ１３から読み出してデコーダ１４により伸長してベースバンド素材として出力する。
【００１３】
一方、ＣＰＵ１０は、上位制御端末１２０から素材転送指示を受信すると、該当する素材ファイル（例えば高解像度（ＨＤ：High Definition）のＡ素材ファイル）を素材メモリ１３から読み出す。ＣＰＵ１０は、読み出されたＡ素材ファイルを転送先システム２００に向けてファイル転送する。転送されたＡ素材ファイルは転送先システム２００においてビデオサーバ２１０により受信され、例えばＡ’素材ファイルとして素材メモリ２３に収録される。
【００１４】
上位制御端末１２０は、ＣＰＵ１６と、サムネイルメモリ１７と、通信インタフェース（通信Ｉ／Ｆ）１８と、キャプチャボード１９とを備える。ビデオサーバ１１０の素材メモリ１３に素材が収録されると、ＣＰＵ１０は、収録された素材を読み出してデコーダ１４により伸長して上位制御端末１２０に出力する。伸長されたベースバンド素材は、キャプチャボード１９に取り込まれ、ＣＰＵ１６は、キャプチャボード１９から一定のフレーム間隔で静止画を取り込んでサムネイルとしてサムネイルメモリ１７に記憶する。このサムネイルには、非圧縮またはＪＰＥＧなどの圧縮した静止画を用いることができる。
【００１５】
転送元システム１００から素材が転送されると、転送先システム２００の上位制御端末２２０は、転送元システム１００と同じフレーム間隔でサムネイルを作成してサムネイルメモリ２７に記憶する。上位制御端末２２０は、転送元システム１００で作成されたサムネイルを取得して、取得されたサムネイルとサムネイルメモリ２７に記憶されたサムネイルとを比較して差異を検出する。上位制御端末２２０のＣＰＵ２６は、差異が検出されない、または一定の誤差範囲以内であれば同一素材と判定し、転送元システム１００に素材の転送結果を通知する。
【００１６】
次に、このように構成された素材転送システムの動作について説明する。図２は、図１に示す素材転送システムにおける素材転送処理の手順とその内容を示すシーケンス図である。  
転送元システム１００において、上位制御端末１２０はビデオサーバ１１０に素材転送要求を送信し、転送対象の素材ファイルを指定する（ステップＳ１ａ）。この指定を受けてビデオサーバ１１０は、素材メモリ１３から素材を読み出して転送準備を完了する（ステップＳ１ｂ）。ビデオサーバ１１０は、上位制御端末１２０から転送トリガを受けると素材の転送処理を開始する（ステップＳ１ｃ）。ビデオサーバ１１０のＣＰＵ１０は、出力Ｉ／Ｆ１５により素材の転送処理を行う（ステップＳ１ｄ）。素材の転送が終了すると（ステップＳ１ｅ）、ＣＰＵ１０は上位制御端末１２０に転送終了を通知する。
【００１７】
上位制御端末１２０は、ビデオサーバ１１０から転送終了の通知を受けると、Ｎフレーム間隔で作成された当該素材のサムネイルを通信Ｉ／Ｆ１８により転送先システム２００の上位制御端末２２０に転送する（ステップＳ１ｆ）。
【００１８】
上位制御端末１２０は、上位制御端末２２０から素材の転送の異常通知を受信したか否かの判定を行い（ステップＳ１ｇ）、転送処理の正常終了または異常終了を確認する。
【００１９】
上位制御端末２２０はビデオサーバ２１０に素材収録要求を送信し、収録ファイルを指定する（ステップＳ２ａ）。この指定を受けてビデオサーバ２１０は、収録準備を完了する（ステップＳ２ｂ）。ビデオサーバ２１０は、上位制御端末２２０から転送トリガを受けると素材の収録処理を開始する（ステップＳ２ｃ）。ビデオサーバ２１０のＣＰＵ２０は、入力Ｉ／Ｆ２２により取り込まれる映像素材の収録処理を行う（ステップＳ２ｄ）。このとき、上位制御端末２２０は、ビデオサーバ２１０に収録された映像素材をもとに転送元システム１００で作成されたサムネイルと同じＮフレーム間隔でサムネイルを作成する（ステップＳ２ｅ）。すなわち、ビデオサーバ２１０で収録された映像素材をデコーダ２４により伸長してキャプチャボード２９に取り込み、転送元システム１００で作成されたサムネイルと同じフレームの画像をもとにサムネイルを作成し、サムネイルメモリ２７に記憶する。上位制御端末２２０は、ビデオサーバ２１０における収録処理及び上記サムネイル作成処理の終了を検知すると（ステップＳ２ｆ）、転送元システム１００から送られてくるサムネイルを受信する（ステップＳ２ｇ）。
【００２０】
そして、上位制御端末２２０のＣＰＵ２６は、Ｎフレーム間隔の転送元システム１００から送られてきたサムネイルとサムネイルメモリ２７に記憶されたサムネイルとをフレーム毎に比較し（ステップＳ２ｈ）、２つのサムネイルに差異があるか判定する（ステップＳ２ｉ）。この判定において差異があった場合には、当該素材の転送に異常があったことを転送元システム１００の上位制御端末１２０に通知する。上位制御端末１２０は、このサムネイル比較処理の終了判定を行い（ステップＳ２ｊ）、すべてのフレームにおいて差異が検出されずに終了した場合には、当該素材の転送が正常に終了したことを示す情報を上位制御端末１２０に通知する。
【００２１】
従来の例では、転送先システムのビデオサーバ（Ａ’素材）のデコード出力を作業員が映像モニタに張り付いて目視で確認するか、専用のベースバンド比較装置により確認（Ａ素材とＡ’素材の比較など）を行っていた。これに対し、上記実施形態は、上位制御端末１９，２９が備えるキャプチャ機能を活用して、簡易的に素材の転送確認を行う。
【００２２】
以上述べたように、上記実施形態によれば、転送元システム１００の上位制御端末１２０及び転送先システム２００の上位制御端末２２０は、ビデオサーバ１１０及びビデオサーバ２１０にそれぞれ収録された映像素材をデコードして取り込み、キャプチャ機能を利用して一定のフレーム間隔で静止画（サムネイル）をそれぞれ作成する。そして、上位制御端末２２０は、素材転送終了後に、上位制御端末１２０から送られてくるサムネイルを受信し、受信されたサムネイルと、サムネイルメモリ２７に記憶されたサムネイルとをフレーム毎に比較して差異を検出することで転送された素材の確認を行う。このようにすることで、転送後の素材を再生して目視で確認する場合に比べて短時間に転送された素材を確認することが可能となる。
【００２３】
したがって上記実施形態によれば、手間をかけることなく短時間で素材の転送確認を行うことが可能となる。さらに、素材の転送確認に用いる静止画として、画像サイズを縮小した画像、または圧縮処理された画像を作成するようにすることで、比較を行う上位制御端末２２０の負荷を軽減し、より短時間で素材の転送確認を行うことが可能となる。
【００２４】
なお、この発明は上記実施形態に限定されるものではない。例えば、図１において、転送元システム１００に上位制御端末１２０を、転送先システム２００に上位制御端末２２０をそれぞれ設けたが、この上位制御端末１２０と上位制御端末２２０とを両システムから独立して１つの装置として構成することも可能である。この他にも、素材転送システムの構成及び動作手順についてもこの発明の要旨を逸脱しない範囲で種々に変形して実施できる。
【００２５】
要するに、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００２６】
【図１】この発明に係る素材転送システムの一実施形態を示す機能ブロック図。
【図２】図１に示す素材転送システムにおける素材転送処理の手順とその内容を示すシーケンス図。
【符号の説明】
【００２７】
１００…転送元システム、２００…転送先システム、１１０，２１０…ビデオサーバ、１２０，２２０…上位制御端末、１０，２０…ＣＰＵ、１１，２１…エンコーダ、１２，２２…入力インタフェース、１３，２３…素材メモリ、１４，２４…デコーダ、１５，２５…出力インタフェース、１６，２６…ＣＰＵ、１７，２７…サムネイルメモリ、１８，２８…通信インタフェース、１９，２９…キャプチャボード。
【図１】
2008187246.tif 000003
【図２】
2008187246.tif 000004